(57)【要約】【課題】高解像度化やフレームレートの上昇に伴うデータ転送速度の高速化によって、特に表示素子の動作回路からの電磁界放射ノイズ対策が困難になってきている。特に色ごとに複数の表示素子で構成されるプロジェクタの場合、白黒やハイコントラストの幾何学模様やフォントサイズが小さい文章を画面全体に投影する場合、表示素子へ伝送されるクロック信号だけでなく、データバス上のディジタル信号も多数同期してしまうため、電磁界放射ノイズのレベルが高くなってしまう。【解決手段】複数の表示素子を有するプロジェクタにおいて、すべてのパネルの水平走査、垂直走査の方向を互いに異なるように制御する。映像の表示に違和感を与えるような走査になる場合には、電磁界放射が特に大きくなる投影条件でのみ、すべての液晶パネルの水平走査、垂直走査の方向を異なるように制御する。【選択図】図３
2018004852.tif 000002
【特許請求の範囲】
【請求項１】
色ごとに分離した映像信号、および制御信号を出力し、表示素子を制御する手段と、前記制御手段から出力される映像信号、および制御信号を受けて色ごとに映像を表示する複数の表示素子で構成されるプロジェクタにおいて、前記制御手段は、複数の表示素子へ出力された映像信号の走査方向に関する制御手段を有し、前記走査方向の制御手段は、個々の表示素子の水平走査、および垂直走査の方向を任意の方向に設定でき、かつ、すべての表示素子の走査方向が互いに異なるように設定できることを特徴とするプロジェクタ。
【請求項２】
前記表示素子の走査方向の制御手段は、前記表示素子へ伝送する映像信号を解析し、静止画像が入力されていると判定された場合に、すべての表示素子の水平走査、垂直走査の方向が互いに異なるように設定することを特徴とする請求項１に記載のプロジェクタ。
【請求項３】
前記表示素子の走査方向制御手段は、プロジェクタが静止画像入力を前提とした、特定の投影モードに設定された場合に、すべての表示素子の水平走査、垂直走査の方向が互いに異なるように設定することを特徴とする請求項１に記載のプロジェクタ。
【請求項４】
前記表示素子の走査方向制御手段は、入力映像の画素クロック周波数を測定する手段を有し、前記画素クロック周波数測定手段によって、ある一定以上の画素クロック入力周波数を検知した場合に、すべての表示素子の水平走査、垂直走査の方向が互いに異なるように設定することを特徴とする請求項１乃至請求項３の何れか一項に記載のプロジェクタ。
【請求項５】
前記表示素子の制御手段と、各表示素子、あるいはその間の伝送路の近傍に配置された電磁界放射ノイズの強度を測定できるセンサーで構成されるプロジェクタにおいて、前記表示素子の制御手段は、前記センサーの測定値に基づいて、すべての表示素子の水平走査、垂直走査の方向が互いに異なるように設定することを特徴とする請求項１に記載のプロジェクタ。
【請求項６】
前記放射電磁界ノイズの強度を測定できるセンサーでの測定値の組み合わせによって、すべての表示素子の水平走査、垂直走査方向が互いに異なるように設定することを特徴とする請求項５に記載のプロジェクタ。
【発明の詳細な説明】
【技術分野】
【０００１】
本発明は、複数の表示素子を有するプロジェクタに関し、電磁界放射（ＥＭＩ）ノイズを低減するための表示素子の走査方法に関する。
【背景技術】
【０００２】
従来、液晶プロジェクタのような表示素子（液晶パネル等）を有する機器において、装置から発生する電磁界放射（ＥＭＩ）ノイズを抑制するために、表示素子へのデータ伝送方法、あるいは表示素子の動作タイミングを工夫することで対策がなされている。
【０００３】
例として、表示素子と周辺回路間での伝送信号の低電圧化や差動信号化、周波数拡散クロック生成回路（ＳＳＣＧ）技術を利用した放射ノイズ低減方法などが広く実用化されている。
【０００４】
また、表示素子の制御方法によってＥＭＩノイズを低減させる例として、特許文献１が開示されている。この中では、表示素子の１水平走査線ごとに、隣接する水平走査線上のデータ信号（ディジタル値）を比較し、電磁界放射ノイズの原因となるディジタル値“０”、“１”間の遷移量が最小となるように、駆動信号をエンコードして表示素子へ信号伝送する手法が開示されている。
【先行技術文献】
【特許文献】
【０００５】
【特許文献１】特開２００５−１７３６１８号公報
【発明の概要】
【発明が解決しようとする課題】
【０００６】
しかしながら、上記特許文献１に開示された技術では、表示素子を制御するドライバＩＣ側（映像信号送信側）にはエンコード回路を設け、表示素子側（映像信号受信側）にはデコード回路を設ける必要がある。したがって、それらの回路を付加することで前記ドライバＩＣや表示素子のコストアップ要因になってしまう。また、デバイス内の回路規模が大きくなれば、それに比例して消費電力も大きくなる要因になりうる。
【０００７】
また、色ごとに複数の表示素子を使用するプロジェクタや、４Ｋ、８Ｋパネルなどを使用した高解像度化、あるいは高画質化のための多諧調度化などにより、ドライバＩＣと表示素子間を伝送するデータ量の増加が想定される。また、これらを実現するため、クロック信号、データバスなどの信号数増加、および動作周波数のさらなる高速化によって、従来技術である周波数拡散クロック（ＳＳＣ）による放射ノイズ低減対策等では、必要十分ではなくなってきている。
【０００８】
このような背景のもと、本発明の目的は、高解像度化、多諧調化によって、伝送信号の高速化、データバス信号線を多用する表示素子で、かつ、色ごとにそれらを複数使用するプロジェクタに対して、簡単にかつ、効果的な電磁界放射ノイズ対策を実現することである。
【課題を解決するための手段】
【０００９】
上記の目的を達成するために、本発明に係るプロジェクタは、色ごとに複数枚の表示素子を有するプロジェクタに関し、すべての表示素子の水平走査、垂直走査の方向を互いに異なる走査方向に制御することを特徴とする。
【発明の効果】
【００１０】
色ごとに複数枚の表示素子を有するようなプロジェクタを使用して、小さなフォントの文書やコントラスト比が高く、細かな幾何学模様を画面全体に投影する場合、表示素子へのデータバス上を伝送する高速ディジタル信号の遷移が同時に多数発生する。これが原因で、表示素子を含む回路周辺から放射される電磁界放射ノイズが、著しく増加してしまう場合がある。
【００１１】
本発明に係るプロジェクタによれば、上記のような環境下でも、すべての表示素子の水平走査、垂直走査の方向を互いに異なる方向に変えることで、各表示素子へ伝送される信号が一致しなくなるため、複数の信号線が同時に遷移する状況も減らすことができる。そのため、これに起因する電磁界放射ノイズレベルも低減することができる。
【図面の簡単な説明】
【００１２】
【図１】実施形態（外形）
【図２】（ａ）は第一の形態のブロック図（全体）、（ｂ）は第二の形態のブロック図（全体）
【図３】第一の形態のブロック図（部分）
【図４】第一の実施形態のフローチャート
【図５】各液晶パネルの走査方向の組み合わせ例を示す図
【図６（ａ）】電磁界放射ノイズを抑える原理を示す図
【図６（ｂ）】電磁界放射ノイズを抑える原理を示す図
【図７】第二の形態のブロック図（部分）
【図８】第二の実施形態のフローチャート
【発明を実施するための形態】
【００１３】
以下、図面を参照して本発明を実施するための形態について説明する。
【実施例１】
【００１４】
図１は、本発明に係る実施形態のプロジェクタの上面図（ａ）、図中の矢印の方向から見た各側面図（ｂ）、（ｃ）、（ｄ）を示したものである。
【００１５】
本実施例では、Ｒ（赤色）、Ｇ（緑色）、Ｂ（青色）の各色を光源とした反射型液晶パネルを有するプロジェクタの構成について、以下のとおり説明する。
【００１６】
図１（ａ）において、１０１はプロジェクタ本体、１０２は投射レンズである。１０３は電源ボタン、１０４は設定画面を呼び出すためのメニューボタン、１０５は映像信号の入力先を選択するボタン、１０６はメニュー画面で選択決定を行なうボタンである。１０７〜１１０はＯＳＤ画面上で上下左右方向にメニュー選択を行なうためのボタンである。
【００１７】
図１（ｂ）において、１１１はディジタル映像信号入力端子、１１２はアナログ映像信号入力端子である。１１３は外部のネットワーク（ＬＡＮ）と有線で接続するためのネットワーク通信端子である。１１４はビデオ信号入力端子、１１５は音声信号入力端子、１１６は外部機器への音声信号出力端子である。
【００１８】
図１（ｃ）において、１１７はプロジェクタ内部の熱を冷却するための外気の取り込み口であり、空気中の塵埃を取り除くためのフィルタも設けられている。
【００１９】
図１（ｄ）において、１１９はＡＣインレットであり、外部の商用ＡＣ電源とケーブル接続する。１１９はプロジェクタ内部の熱を排気するための大型の排気口であり、排気方向を調整するためのフィンが設けられている。
【００２０】
図２（ａ）はプロジェクタを動作させるためのＬＳＩ、センサー、アクチュエータ、光源、表示素子、電源などの各構成要素をブロック図で示したものである。
【００２１】
２０１は外部の映像信号出力機器からアナログまたはディジタルのフォーマットで入力された映像信号をプロジェクタの表示素子（以下、液晶パネルという）の解像度にスケーリング処理や色補正するためのワンチップ型のマイクロコンピュータである（以下、映像信号処理マイコンという）。
【００２２】
映像信号処理マイコン２０１は、ディジタル映像入力端子１１１、またはアナログ映像入力端子１１２、またはネットワーク通信端子１１３からの入力を検知すると、入力された映像信号がディジタル信号の場合はデコードし、アナログ信号の場合はＡ／Ｄ変換して、液晶パネル２０７、２０８、２０９に適した表示解像度になるように解像度変換（スケーリング）処理をおこなう。そして、液晶パネルドライバＩＣ２１３に所定のフォーマットで映像信号を伝送する。映像信号処理マイコン２０１では、上記以外に色補正や台形補正を処理することもできる。２０７、２０８、２０９は、それぞれＲ、Ｇ、Ｂの光源に対応する液晶パネルであり、液晶パネルドライバＩＣ２１３からＲＧＢに分離された映像信号、制御信号を受け取り、電気的に液晶を駆動して映像を表示するデバイスである。これらの液晶パネル表面で反射されたＲＧＢ各色の光線は、プロジェクタ内部で光学的に合成され、映像として投射レンズ１０２を経て投影される。
【００２３】
２０３はプロジェクタの操作ボタン１０３〜１１０からの入力信号、および冷却ファン２１４、高輝度のランプを点灯制御するランプ制御回路２１５、筐体内の温度を検知する複数の温度センサー２１６など、プロジェクタ電源のオン・オフ、内蔵センサー、およびアクチュエータ全体を統括制御するマイコン（以下、プロジェクタ制御マイコンという）である。
【００２４】
プロジェクタ制御マイコン２０３は、操作ボタン１０３〜１１０からズーム制御の指示を受けるとモータドライバＩＣ２１２に制御信号を送り、ズームモータ２２０を駆動して投射レンズを任意の倍率に調整する。２１１はスクリーン面上に投影映像を合焦させるために動作させるためのフォーカス用のモータであり、プロジェクタ制御マイコン２０３がモータドライバＩＣ２１２を制御して駆動する。
【００２５】
２１６はランプ２１７周辺部等に取り付けられている温度センサーであり、プロジェクタ制御マイコン２０３がこれらのセンサーからの出力値を読み出した上、適切な温度になるように複数の冷却ファン２１４の回転数を制御してファンの風量を調整する。
【００２６】
２０２はネットワーク通信端子１１３から入力された映像信号をデコードし、映像信号処理マイコン２０１で処理できるデータフォーマットに変換するためのマイコン（以下、ネットワーク制御マイコンという）である。
【００２７】
２１９はＡＣ電源であり、商用電源からプロジェクタで使用するＤＣ電源を生成する。２１５はランプ制御回路であり、プロジェクタ制御マイコン２０３からの指示を受けて、ランプ２１７の点灯に必要な高電圧を生成する回路である。２０５、２２１は不揮発性のメモリであり、それぞれ接続先のマイコンのプログラム、および設定用のデータを格納している。２０６、２２２は揮発性のメモリであり、投影画像データのバッファや、各マイコン内での演算用バッファとして使用される。
【００２８】
図３（ａ）に、画像処理マイコン２０１とその周辺デバイスとの詳細な信号の流れを記したブロック図を示す。
【００２９】
２０１は画像処理マイコンであり、その内部ブロック図を示す。３０１は動画／静止画判定部であり、入力映像が動画、または静止画であるかを判定し、その結果を走査方向制御部３０５へ通知する。３０２は画素クロック周波数計測部であり、入力映像の画素クロックを算出して、走査方向制御部３０４へ通知する。走査方向制御部３０５では、動画／静止画判定部３０１と画素クロック周波数算出部からの情報から、各液晶パネルの垂直走査、水平走査の方向を決定して、パネルドライバＩＣ２１３、および、ＲＧＢデータ分離部３０４へ命令する。
【００３０】
一方、３０３は解像度変換部であり、入力された映像信号を液晶パネル２０７、２０８、２０９の表示解像度に合致するように解像度変換（スケーリング）する。３０４はＲＧＢデータ分離部であり、解像度変換部３０２からの映像信号を色ごとに分離し、前記走査方向制御部３０４から各パネルの水平走査、垂直走査の方向の命令を基にして、映像信号を並び替える処理を担う。
【００３１】
次に、パネルドライバＩＣ２１３では、前記映像信号処理マイコン２０１から各パネルの水平・垂直走査の方向とＲＧＢ各色の映像信号を基に、液晶パネル２０７〜２０９を動作させるための制御信号と映像信号を生成する。
【００３２】
図４に、本実施例のフローチャートを示す。
【００３３】
初めにプロジェクタの電源ボタン１０３を押して投影状態にし、プロジェクタに接続された機器から、ディジタル映像入力端子１１１、アナログ映像１１２、ネットワーク通信端子１１３のいずれかの入力端子を通じて映像信号を入力する（Ｓ４０１）。
【００３４】
入力された映像信号は映像信号処理マイコン２０１内の動画／静止画判定部３０１に入力され、映像信号が動画か、静止画であるかを判定される（Ｓ４０２）。映像信号が静止画である場合、走査方向制御部３０５によって、ＲＧＢ各パネルの水平・垂直走査の方向を図５の走査方向パターンＢ５０２に設定する（Ｓ４０３）。この際、画素クロック周波数計測部３０２での情報は判定情報からは除外される。
【００３５】
ここで、前述したＲＧＢ各パネルの走査方向の設定例を説明する。
【００３６】
図５では、便宜上すべてのパネルを同じ平面内に同じ方向に並べた時の各パネルの走査方向を示している。実際には、各液晶パネルは筐体内で互いに異なる向きに配置されている。
【００３７】
５０１に示した走査方向パターンＡでは、すべてのパネルの走査方向が同じ向きに設定されている。５０２〜５０３はすべての液晶パネルの垂直走査、水平走査の方向が異なっている。
【００３８】
フローに戻り、解像度変換部３０３でパネルの表示解像度にスケーリングされた映像信号は、ＲＧＢデータ分離部３０４で色ごとの映像信号に分離されると同時に、先に設定された水平走査、垂直走査の方向に従って、データが並び替えられる（Ｓ４０４）。
【００３９】
さらに映像信号と水平走査、垂直走査の各情報はパネルドライバＩＣ２１３に送信され、Ｒ、Ｇ、Ｂの液晶パネル２０７、２０８、２０９を駆動する信号に変換されて、それぞれのパネルに映像を表示する（Ｓ４０８）。
【００４０】
一方、Ｓ４０２にて入力信号が動画だった場合、画素クロック周波数計測部３０２からの情報に基づいて、走査方向制御部３０５にて、処理の方法を細分化する（Ｓ４０５）。仮に、画素クロックの周波数の値がある特定の周波数Ｘ（Ｈｚ）を超える場合は、ＲＧＢ各パネルの走査方向を図５の走査方向パターンＢ５０２に設定する（Ｓ４０６）。値Ｘは、投影時の電磁界放射レベルに応じて設定される数値であり、実験的に求めてもよい。
【００４１】
また、この際も走査方向パターンＢ５０２に示すように、各パネルの走査方向がすべて異なるように設定されている。設定上重要とされるのは、すべてのパネルの水平走査、垂直走査の方向が異なることであり、この意味では、走査方向パターンＣ５０３、パターンＤ５０４など、後述する電磁界放射レベルが最も低くなる走査方向の組み合わせに設定してよく、本実施例の限りではない。
【００４２】
この後の処理は先に記載したフローと同様に、設定された走査パターンに従って、色ごとの映像信号の分離が行われ、液晶パネルに映像を表示する（Ｓ４０４、４０８）。
【００４３】
一方、フローＳ４０５で画素クロック周波数がある特定の周波数値Ｘ（Ｈｚ）よりも小さい場合は、走査方向パターンを５０１に示す設定にする。その後、先に示したフローと同様に、設定された走査パターンに従って、色ごとに映像信号を分離し、液晶パネルに映像を表示する（Ｓ４０４、４０８）。
【００４４】
次に、図６（ａ）、図６（ｂ）に電磁界放射ノイズの観点から本実施例の効果を説明する。
【００４５】
入力される映像が静止画で、白黒の小フォントの文字からなる文書、あるいは白黒の微細な幾何学模様が画面全体に表示される場合、電磁界放射ノイズ対策を意図せずに投影してしまう場合を想定する。このときの入力映像と各液晶パネルに伝送される映像信号を図６（ａ）に示す。
【００４６】
６０１に示す白黒映像が入力されると、各液晶パネルへのデータバス上には、ほぼ同じ映像信号（ディジタル）が伝送され、液晶パネルには同様な映像が表示されている（６０２、６０３、６０４）。このとき各液晶パネルへ伝送されるＣＬＫ信号とデータバス上の信号の時間遷移の様子を６０７、６０８、６１０に示す。図の時刻Ｔａ、Ｔｂ、Ｔｃでは、すべての液晶パネルに伝送されるデータバス上の信号遷移箇所（“０”から“１”、または“１”から“０”にスイッチングする箇所）が４あるいは５箇所あり、遷移する方向も各時刻で一致している。
【００４７】
一般的に、高速ディジタル信号では、信号レベルが遷移する際、遷移速度（スルーレート）が大きくなるほど電磁界ノイズの高周波成分が空間に放出されやすい。このため、同じタイミングで遷移する信号が多いほど、電磁界放射ノイズレベルも大きくなる。
【００４８】
したがって、電磁界放射ノイズの増加を抑制するために、本実施例ではフローＳ４０３の際に、すべてのパネルの水平走査、垂直走査の方向が異なるように設定する。これは、図５の走査方向パターンＢ５０２の状態にあたる。６０９と６１０に、この時の液晶パネルの走査方向とデータバスの信号遷移状態を示す。走査方向を変える前（図５走査パターンＡ５０１の状態）と比較して、時刻Ｔａ、Ｔｂ、Ｔｃでデータバスが遷移する回数がそれぞれの時刻で２回にまで減っている。これは、各液晶パネルに伝送する映像は同じでも、水平走査、垂直走査の向きが互いに異なるため、伝送する映像信号の並びは異なるためである。
【００４９】
さらに、データバス上の映像信号の同時遷移回数と電磁界放射ノイズのレベルを模式的に示したものが図６（ｂ）である。ＲＧＢ各液晶パネルに伝送されるディジタル信号６１１、６１２、６１３に関して、時刻Ｔａでのデータバス信号の遷移によって発生する電磁界放射ノイズレベルを対周波数領域で示した（６１６、６１７、６１９）。時刻Ｔａではデータバス上の遷移の回数が５箇所であり、他の時刻と比較しても多い。そのため、空間に放射されたノイズスペクトルも大きくなり、すべてのパネルから放射されたノイズ合成が６２２に示すようになる。
【００５０】
一方、フローＳ４０３で、すべてのパネルの水平走査、垂直走査の方向が異なるように設定した後は、映像信号の遷移状態は６１１、６１３、６１５となり、走査方向を変えない場合より、遷移数が２箇所に減少している。このため、６１８、６２０に示すように、空間へ放出される電磁界ノイズも変更前に比べ、レベルが小さく抑えられる。結果的に、すべてのパネルから電磁界放射ノイズの合成値は、走査方向変更前の６２１に比べ、変更後は６２２のように低減できる。
【実施例２】
【００５１】
第２の実施形態について説明するが、基本的な構成は実施例１と同様であり、構成上異なる部分のみ以下に記す。
【００５２】
図２（ｂ）は本実施例に関わる実施形態を示すブロック図である。
【００５３】
実施例１で示した図２（ａ）と異なるのは、ＲＧＢ各色の液晶パネル２０７、２０８、２０９の近傍に、それぞれ電磁界センサー２２１、２２２、２２３が配置されている点である。その他の構成は実施例１で説明した構成と同じである。
【００５４】
図７に、本実施例における画像処理マイコン２０１周辺デバイス、および電磁界センサー２２３、２２４、２２５と信号の流れを示す。
【００５５】
７０１は解像度変換部であり、入力された映像を液晶パネルの解像度に合わせてスケーリング処理をおこなう。液晶パネル２０７、２０８、２０９の近傍に配置された電磁界センサー２２３、２２４、２２５からの計測値は、走査方向制御部７０３に通知される。走査方向制御部７０３では、これらの計測値を比較し、電磁界放射レベルを小さく抑制できるように、液晶パネルの水平走査、垂直放射の方向についてＲＧＢデータ分離部７０２へ指示を出す。ＲＧＢデータ分離部７０２では、ＲＧＢ各色のデータに分離すると同時に、この指示を基に映像信号を各液晶パネルに適した信号の配列に並べ替える。
【００５６】
以降は、実施例１で説明したとおり、パネルドライバＩＣ２１３はＲＧＢ各色に分離されたデータを受け取り、液晶パネル２０７、２０８、２０９に映像を表示する。
【００５７】
続いて、図８に、本実施例のフローチャートを示す。
【００５８】
初めにプロジェクタの電源ボタン１０３を押して投影状態にし、プロジェクタに接続された機器から映像信号を入力し投影する（Ｓ８０１、Ｓ８０２）。
【００５９】
ディジタル映像入力端子１１１、アナログ映像入力端子１１２、またはネットワーク通信端子１１３のいずれかからの映像入力を検知すると、映像処理マイコン２０１内の走査方向制御部７０３は、Ｒの液晶パネル２０７近傍に配置している電磁界センサー２２３の出力値Ｓｒを読み出す（Ｓ８０３）。同様にして、Ｇパネル近傍に配置している電磁界センサー２２４の出力値Ｓｇを読み出す（Ｓ８０４）。さらにＢパネル近傍に配置している電磁界センサー２２５の出力値Ｓｂを読み出す（Ｓ８０５）。
【００６０】
３つの電磁界センサー２２３、２２４、２２５は同じ映像信号を入れた際に、同じ値を出力するように調整されているため、入力される映像によって各液晶パネルで発生する電磁界放射レベルを把握できる。
【００６１】
走査方向制御部７０３では、３つのセンサーから得られた出力値Ｓｒ、Ｓｇ、Ｓｂの値が特定の閾値εを超えるかどうか比較する（Ｓ８０６）。閾値εを超える場合には、各パネルの垂直走査、水平走査の方向を図５の走査方向パターンＢ５０２に設定し（Ｓ８０６）、映像を投影する（Ｓ８０９）。Ｓｒ、Ｓｇ、Ｓｂの値が１つでもεを下回る場合には、各パネルの垂直走査、水平走査の方向を図５の走査方向パターンＡ５０１に設定し（Ｓ８０８）、映像を投影する（Ｓ８０９）。
【００６２】
プロジェクタ処理マイコン２０３は所定の時間Ｔが経過していない場合は、映像を投射し続け（Ｓ８１０）、時間Ｔが経過した場合は、電源ボタン１０３が押され、オフ操作がなされた場合は投影を終了する（Ｓ８１１、Ｓ８１２）。逆に、電源ボタンが押されない場合は、投影を継続しながら、再びフローＳ８０３に戻り以降の処理を繰り返す。
【００６３】
本実施例では、先に説明した図６（ａ）、図６（ｂ）で示した映像を投影している場合には、測定値が閾値εよりも大きいと判定されるように設定されている。このとき、すべてのパネルの水平走査、垂直走査が異なる方向になるよう変更することで、パネルへ伝送されるディジタル信号の同時遷移回数を減らすことができる。結果として、実施例１と同様、電磁界放射ノイズを低減する効果が得られる。
【００６４】
以上、実施例１、２として、本発明の好ましい実施形態について説明したが、本発明はこれらの実施形態に限定されず、その要旨の範囲内で種々の変形及び変更が可能である。
【符号の説明】
【００６５】
２０７，２０８，２０９  液晶パネル、２０１  映像信号処理マイコン、
２１３  パネルドライバ、２０７，２０８，２０９  液晶パネル、
２２１，２２２，２２３  電磁界センサー、３０１  動画／静止画判定部、
３０２  画素クロック周波数計測部、３０５  祖往査方向制御部
【図１】
2018004852.tif 000003
【図２】
2018004852.tif 000004
【図３】
2018004852.tif 000005
【図４】
2018004852.tif 000006
【図５】
2018004852.tif 000007
【図６（ａ）】
2018004852.tif 000008
【図６（ｂ）】
2018004852.tif 000009
【図７】
2018004852.tif 000010
【図８】
2018004852.tif 000011